(57)【特許請求の範囲】
【請求項１】
信号線接続部を有し、信号線路の途中に挿入接続可能なハウジングと、その内部に装着する回路ユニットとから成る共同受信用機器であって、前記信号線接続部を延長したハウジング内側に、回路ユニットの信号入出力部と接続する内部端子を設け、信号入出力部又は内部端子のいずれか一方が、他方の進入を案内する案内壁を周設した立設板であり、他方が前記案内壁内に挿入可能で、前記立設板を挿入挟持する挟持体であることを特徴とする共同受信用機器。
【請求項２】
回路ユニットは箱体内に回路を組み込んで形成し、回路ユニット内に形成した信号入出力部を前記箱体底部を切り欠いて露出させ、ハウジングの内部端子と接続可能とした請求項１記載の共同受信用機器。
【請求項３】
回路ユニットは、上部が開放形成された箱体と、当該開放部を密閉する蓋体とを有し、ボルトによりハウジングに装着可能であって、
前記蓋体に前記ボルトの頭部を露出させる挿通孔を設け、前記箱体底部から前記ボルトの先端を突出させてハウジングに螺入可能とし、前記蓋体を装着した状態で前記ボルトを操作可能とした請求項２記載の共同受信用機器。
【発明の詳細な説明】
【０００１】
【発明の属する技術分野】
本発明はＣＡＴＶ等の信号線路の途中に設けられる幹線増幅器や分岐器等の共同受信用機器に関し、詳しくはその共同受信用機器の高周波信号と大電流の通過を両立する端子構造の改良に関する。
【０００２】
【従来の技術】
ＣＡＴＶ信号線路の途中に設けられる幹線増幅器や分岐器等の共同受信用機器は、メンテナンス等を容易にするためにハウジングから内部回路基板等を取り外すことが可能なように回路がユニット化されて形成され、幹線の同軸ケーブルが接続されたハウジングとそのような回路ユニットとの双方は、接続端子を設けて信号線路を接続している。
従来のこのようなハウジング側内部端子と回路ユニットの信号入出力部である信号端子との接続部の構造は図７（ａ）に示すようなコネクタ式や（ｂ）に示すようなビス式が一般的に使用されていた。
【０００３】
コネクタ式は、接続する双方が芯線部４０ａ，４０ｂとその芯線部をシールドする筒状のアース導体４１ａ，４１ｂとを有し、一方の芯線部４０ａがピン形状で、他方の心線部４０ｂがその芯線部４０ａを挿入挟持する切り割り導体として形成されている。
また、ビス式は芯線４６をビス４２を用いてねじ止めして接続する形態である。尚、４３は同軸ケーブルのフィッティングコネクタ３３を接続する信号線接続端子であり、４４はハウジング、４５は回路ユニットを構成する基板、４７は端子台である。
【０００４】
【発明が解決しようとする課題】
ＣＡＴＶ幹線は通常、テレビ信号である高周波信号（例えば１０ＭＨｚ〜７７０ＭＨｚ）以外に機器を動作させるための低周波或いは直流の動作電流を芯線４０により送通している。しかし、上記コネクター式は、着脱操作が簡単であるが、芯線部４０ａ、４０ｂが細く、接触抵抗も比較的大きいため動作電流の容量を大きく取ることができないし、部品点数も多くコスト高となる問題点を有していた。また、ビス止め式は接触抵抗を小さくできるし、芯線部もビスで形成するため太くできるので、電流容量を大きく取ることは可能あるが、回路ユニットの着脱操作は端子数に応じた数のビスを操作しなければならないため作業に時間がかかり作業者に負担がかかるものとなっていた。
【０００５】
そこで本発明は、上記問題点に鑑み、回路ユニットの着脱操作が簡単でまた高周波の伝送特性を劣化させることなく電流容量も大きく取ることができ、更に構造が簡単な端子構造を有する共同受信用機器を提供することを課題とする。
【０００６】
【課題を解決するための手段】
上記課題を解決するため、請求項１の発明は、信号線接続部を有し、信号線路の途中に挿入接続可能なハウジングと、その内部に装着する回路ユニットとから成る共同受信用機器であって、前記信号線接続部を延長したハウジング内側に、回路ユニットの信号入出力部と接続する内部端子を設け、信号入出力部又は内部端子のいずれか一方が、他方の進入を案内する案内壁を周設した立設板であり、他方が前記案内壁内に挿入可能で、前記立設板を挿入挟持する挟持体であることを特徴とする。
【０００７】
請求項２の発明は、請求項１の発明において、回路ユニットは箱体内に回路を組み込んで形成し、回路ユニット内に形成した信号入出力部を箱体底部を切り欠いて露出させ、ハウジングの内部端子と接続可能として構成される。
【０００８】
請求項３の発明は、請求項２の発明において、回路ユニットは、上部が開放形成された箱体と、開放部を密閉する蓋体とを有し、ボルトによりハウジングに装着可能であって、蓋体にボルトの頭部を露出させる挿通孔を設け、箱体底部からボルトの先端を突出させてハウジングに螺入可能とし、蓋体を装着した状態でボルトを操作可能として構成される。
【００１０】
【発明の実施の形態】
以下、本発明を具体化した実施の形態の１例を、図面を基に詳細に説明する。図１，２，３は本発明に係る共同受信用機器の１つである幹線増幅器の端子部説明図であり、図１はハウジングに形成された接続部の平面図を示し、１はハウジング、２は同軸ケーブル接続端子、３は内部端子で装着する回路ユニット４との接続部である。図２（ａ）はそのＡ−Ａ断面図、図２（ｂ）はＢ−Ｂ断面図を示し、図３はその内部端子３に対応した回路ユニットの信号入出力部である端子部５を示している。尚、図２において４ａは回路ユニット４の箱体を示し、９は内部の回路基板を示している。
【００１１】
同軸ケーブル接続端子２はフィッティングコネクタ３３（図６示）を接続可能に形成され、フィッティングコネクタの芯線を挿入する筒状の切り割り導体７を中心に有している。そして、その切り割り導体７のハウジング内側端部は回路ユニット４と接続する内部端子３を形成し、ハウジング開口面方向に立設板１０を有している。また、同軸ケーブル接続端子２の切り割り導体７から立設板１０に至る芯線６は、樹脂製絶縁体１２により保持固定されている。
【００１２】
内部端子３は、立設板１０と、立設板１０を中心に周囲に設けた案内壁部１２ｂ及びその周囲に形成されたシールド壁１１とから成り、シールド壁１１はハウジング１と一体で突設形成されている。また、案内壁部１２ｂは樹脂製絶縁体１２の一端で形成され、その立設板１０に面する内壁は、対向する回路ユニット４の端子部５の挿入を案内する案内壁１３を形成している。
シールド壁１１の上面は、対向する回路ユニット４側の端子部５との当接面であり、平坦に形成されると共に、複数の突起１４が設けられている。
【００１３】
また、絶縁体１２は芯線保持部１２ａと立設板周囲の案内壁部１２ｂとが分離して形成され、前者はハウジング１の同軸ケーブル接続端子２を構成する外側開口部から芯線６と共に挿入可能に形成され、挿入後はハウジング内壁面に係止固定するように係止腕１２ｃが左右に設けられているし、後者はボルト１５により案内壁部底部であるハウジング内底部に連結され設置される。
尚、案内壁部１２ｂは回路ユニット４の端子部５の位置誤差を吸収するようにシールド壁１１との間に隙間を有し、可動な状態で底部に連結され、心線保持部１２ａと分離することで容易に可動するようになっている。また、立設板１０と案内壁部１２とシールド壁１１との関係は、同軸構造で特性インピーダンスが変化しない寸法比で形成されている。
【００１４】
回路ユニット４の端子部５は、回路素子を装着して増幅回路等を形成している回路基板９の裏面端部に形成され、図３に示すように立設板１０を挟持する挟持体１７が突設され、その周囲にシールド壁１１に対応するアースパターン１８が形成されている。挟持体１７は、金属製の弾性板体を左右から内側にＵ字状に折り曲げた２個のバネ体から成り、ハウジング１の案内壁部１２ｂで形成された案内壁１３内に挿入可能に形成され、挿入した際に立設板１０を挾持するようになっている。
また、その基端部は回路基板９にハンダ付けされ、表面の回路パターンとはスルーホールにより接続されている。
【００１５】
このように形成することで、ハウジングに回路ユニットを装着した際、立設板１０を挟持体１７が挟持するので、面接触により接続され、接続に際してビス止め等の面倒な操作を必要せず電流容量を大きく取ることができ、接続作業が簡単である。
また、回路ユニット側は挟持体を設けるだけで良く、接続部の構成部材が少なく安価に作成することができるし、接続操作は挟持体１７が案内壁により案内されるで、目視に頼ること無く容易に接続することができる。
更に、接続した際にアースパターン１８にはシールド壁１１に形成された突起１４が食い込み、良好にアース部を接続することができ、確実にシールドすることができる。
【００１６】
図４はハウジング１に回路ユニット４を挿入する様子を示し、ハウジング１の開口部を閉塞するカバーの記載は省略してある。ハウジング１の左右側面には同軸ケーブル接続端子２がそれぞれ３個づつ形成され、それぞれ内部端子３を有している。尚、２１はカバーを蝶着するヒンジ、２２はカバーをボルト締めする螺入孔であり、２３は予備の接続口となっている。また、２４は放熱フィンである。
【００１７】
回路ユニット４は、箱体４ａと蓋体２６とで密閉可能に形成され、増幅回路等を組み込んだ回路基板等を箱体内に有している。箱体４ａのハウジング側内部端子３に対応する部位には切り欠き形成した開口部２７が設けられ、内部の回路基板９が露出し、その回路基板９の露出部に内部端子３に接続する端子部５が形成されている。
【００１８】
また回路ユニット４は、蓋体２６の４ヶ所に挿通孔２８が設けられ、ハウジング内に回路ユニット４を固定する装着ボルト２９の頭部が露出している。装着ボルト２９は図５に示すように箱体４ａを貫通し先端がハウジング底部に螺入可能に形成され、途中に形成した段部２９ａが回路基板９に係止して回路ユニット全体を係止するようになっている。また３０はＥリングで、装着ボルト２９が蓋体２６から抜け落ちないようにするためのものである。
このように、端子部を切り欠き凹部内に形成することで、作業者が誤って端子部を引っかける等して破損することがなくなるし、ボルトによる操作だけで回路ユニットを装着できるので、簡易な構造であるし簡単な操作で着脱操作することができる。
【００１９】
図６は上記幹線増幅器のカバーを設け、ＣＡＴＶ線路に設置した様子を示す正面図で、ハウジング１が電柱等に架設されたメッセンジャワイヤ３４に吊設され、同軸ケーブル３２がフィッティングコネクタ３３を介し左右に１本ずつ接続されている。
このように幹線に設置した状態であっても、ハウジングのカバー１ａを外すだけで、回路ユニット４の蓋体２６等を外すこと無く密閉した状態で容易に着脱することができるので、メンテナンス作業を容易に行うことができるし、ハウジングを信号線に接続したままシステムを交換することも容易である。
【００２０】
尚、上記実施の形態は幹線増幅器について説明したが、上記構造は同様に信号線路の途中に設置される分岐器に対しても適用できるものである。また、回路ユニット側の接続部は回路基板に形成したが、ユニット底部に別途基板を設けて接続部を形成しても良いし、回路ユニットを複数にブロック化しても良い。その他、各部の形状及び構成は本発明の趣旨を逸脱しない範囲で適宜変更して具体化することも可能である。
【００２１】
【発明の効果】
以上詳述したように、請求項１の発明によれば、ハウジングと回路ユニットとの接続部の端子構造が面接触となるので電流容量を大きくでき、接続する際にビス等の面倒な操作を必要としないので接続作用が簡単である。また、構成部材が少なく安価に作成することができる。
【００２２】
請求項２の発明によれば、請求項１の発明の効果に加えて、回路ユニット内に形成した信号入出力部が箱体底部を切り欠いて露出され、ハウジングの内部端子と接続可能としているので、作業者が誤って端子部を破損したりすることがない。
【００２４】
請求項３の発明によれば、請求項２の発明の効果に加えて、ボルトの操作だけで回路ユニットを着脱するので、簡易な構造及び簡単な操作で、回路ユニットの蓋体を外すこと無く密閉した状態で着脱することができる。
【図面の簡単な説明】
【図１】本発明の実施の形態の１例を示す共同受信用機器のハウジングの端子部構造を示す平面図である。
【図２】（ａ）は図１のＡ−Ａ矢示断面図、（ｂ）はＢ−Ｂ矢示断面図である。
【図３】図１の端子部に対応する回路ユニット側信号入力部の斜視図である。
【図４】図１，図３の端子構造を有する幹線増幅器の斜視説明図である。
【図５】図３の回路ユニットの着脱構造を説明する要部断面図である。
【図６】図４の幹線増幅器を信号線の途中に設置した状態を示す正面図である。
【図７】従来の共同受信用機器の端子部構造の説明図で、（ａ）はコネクタ式の断面説明図、（ｂ）はビス式の断面説明図である。
【符号の説明】
１・・ハウジング、２・・同軸ケーブル接続端子、３・・内部端子、４・・回路ユニット、５・・端子部、１０・・立設板、１１・・シールド壁、１２・・絶縁体、１２ｂ・・案内壁部、１３・・案内壁、１７・・挟持体、、１８・・アースパターン、２８・・挿通孔、２９・・装着ボルト。
【図１】
0004180736.tif 000002
【図２】
0004180736.tif 000003
【図３】
0004180736.tif 000004
【図４】
0004180736.tif 000005
【図５】
0004180736.tif 000006
【図６】
0004180736.tif 000007
【図７】
0004180736.tif 000008